(57)【要約】【課題】監視対象となる設備の変更がされた場合であっても簡単な情報の変更作業のみによって設備の監視ができる遠隔監視システムを提供する。【解決手段】センター装置１０は、フィールド装置２０のポートと当該ポートで受信する物理量情報の種別との対応関係を示すポート構成情報、及び、設備２２の識別子と当該設備２２が計測される物理量情報の種別とを含む設備構成情報を記憶し、当該設備構成情報に含まれる設備２２の識別子及び物理量の種別とポート構成情報に含まれるポートとの対応を示すリンクデータを記憶しておく。そして、センター装置１０は、物理量情報及び当該物理量を取得したポートから、リンクデータを参照して、当該ポートで取得した物理量の種別及び設備２２の識別子を特定し、設備２２ごとの監視情報を生成する。これにより、フィールド装置１０に設備２２に関する情報を登録しておく必要がない。【選択図】図１
2008160587.tif 000002
【特許請求の範囲】
【請求項１】
設備と接続されたポートを複数有し、当該ポートを介して前記設備の物理量情報を受信するフィールド装置と、
前記フィールド装置と通信回線を介して接続され、前記物理量情報及び当該物理量を取得したポートを前記フィールド装置から受信し、前記設備の監視情報を生成する遠隔監視装置と、
前記遠隔監視装置により生成された監視情報を提示する提示装置とを備え、
前記遠隔監視装置は、
前記フィールド装置のポートと当該ポートで受信する物理量情報の種別との対応関係を示すポート構成情報、及び、前記設備の識別子と当該設備が計測される物理量情報の種別とを含む設備構成情報を記憶し、当該設備構成情報に含まれる設備の識別子及び物理量の種別と前記ポート構成情報に含まれるポートとの対応を示すリンクデータを記憶した記憶手段と、
前記物理量情報及び当該物理量を取得したポートから、前記リンクデータを参照して、当該ポートで取得した物理量の種別及び設備の識別子を特定し、設備ごとの監視情報を生成する監視処理手段と
を備えることを特徴とする遠隔監視システム。
【請求項２】
前記フィールド装置のポートとして、ディジタル入力ポートを有し、当該ディジタル入力ポートの状態の変化が発生したことを入力した場合に、異常が発生した旨の警報速報情報を前記遠隔監視装置に送信し、
前記遠隔監視装置は、前記フィールド装置から警報速報情報を受信した場合に、当該警報速報情報を前記提示装置により提示させると共に、当該フィールド装置に当該異常の内容の送信を要求する問い合わせ信号を送信し、
前記フィールド装置は、前記問い合わせ信号を遠隔監視装置から受信した場合に、前記警報速報情報に関わる異常の詳細を示す警報詳細情報を前記遠隔監視装置に送信し、
前記遠隔監視装置は、前記フィールド装置から警報詳細情報を受信した場合に、当該警報詳細情報を、前記警報速報情報に加えて前記提示装置により提示すること
を特徴とする請求項１に記載の遠隔監視システム。
【請求項３】
前記フィールド装置のポートとして、前記設備を制御するための出力ポートを有し、
前記遠隔監視装置は、
前記ポート構成情報に前記出力ポートを格納し、前記リンクデータを、前記設備構成情報の出力ポートと接続された設備の識別子と前記ポート構成情報に格納された出力ポートとの対応を示す情報とし、
前記設備を制御する場合に、前記リンクデータを用いて、制御対象の設備が接続されている前記出力ポートを認識して、当該出力ポートを指定した設備制御指令を出力する制御処理部を備えること
を特徴とする請求項１又は請求項２に記載の遠隔監視システム。
【請求項４】
前記制御処理部は、前記設備制御指令を出力するに際して、前記出力ポートの状態を問い合わせる問い合わせ信号を前記フィールド装置に送信し、当該フィールド装置からの応答信号に基づいて当該出力ポートが利用可能であると判定した場合に、前記設備制御指令を出力することを特徴とする請求項３に記載の遠隔監視システム。
【発明の詳細な説明】
【技術分野】
【０００１】
本発明は、例えば各種設備等の状態を監視、制御するために、各種設備等と接続されて収集されたデータを取得する遠隔監視システムに関する。
【背景技術】
【０００２】
従来より、例えばビルに導入されている空調設備や照明設備等の各種設備を１台のフィールド装置によって監視、制御するために、当該フィールド装置によって蓄積している設備の情報を管理者によって管理ができるように収集する遠隔監視装置を備えた遠隔監視システムが知られている（下記の特許文献１参照）。
【０００３】
特許文献１に記載された遠隔監視システムは、ビルから離れた場所にいても、ビル内設備の監視を可能とし、人件費等のビル管理・保守費用を低減しようとしている。この特許文献１には、監視対象となる設備機器の機器識別番号と監視側の分散制御装置の装置識別番号とを対応付けた接続管理情報を有した１台のビルディングサーバに対して、監視対象の設備機器の通信アドレスを含む設備機器特定情報を備えた分散制御装置を複数台接続している。
【０００４】
このような遠隔監視システムは、分散制御装置によってビル内設備機器のデータを収集して、ビルディングサーバの問い合わせに対して、分散制御装置からビルディングサーバに収集したデータを返信する。そして、遠隔監視システムは、通信端末から、ビルディングサーバにアクセスしてビル内設備機器を監視できるようにしている。
【特許文献１】特開２００３−１３４１２０号公報
【発明の開示】
【発明が解決しようとする課題】
【０００５】
上述した遠隔監視システムは、監視対象である設備機器のＩＤ情報等をビルディングサーバのみならず、分散制御装置にも登録し、分散制御装置は、登録された設備機器のＩＤ情報を用いて設備機器の監視、制御をしている。このため、監視、制御対象となる設備の種別などが変更された場合には、ビルディングサーバのみならず、分散制御装置の登録内容を変更する必要があった。
【０００６】
そこで、本発明は、上述した実情に鑑みて提案されたものであり、監視対象となる設備の変更がされた場合であっても簡単な情報の変更作業のみによって設備の監視ができる遠隔監視システムを提供することを目的とする。
【課題を解決するための手段】
【０００７】
本発明に係る遠隔監視システムは、設備と接続されたポートを複数有し、当該ポートを介して前記設備の物理量情報を受信するフィールド装置と、前記フィールド装置と通信回線を介して接続され、前記物理量情報及び当該物理量を取得したポートを前記フィールド装置から受信し、前記設備の監視情報を生成する遠隔監視装置と、前記遠隔監視装置により生成された監視情報を提示する提示装置とを備える。
【０００８】
このような遠隔監視システムにおいて、前記遠隔監視装置は、記憶手段に、フィールド装置のポートと当該ポートで受信する物理量情報の種別との対応関係を示すポート構成情報、及び、前記設備の識別子と当該設備が計測される物理量情報の種別とを含む設備構成情報を記憶し、当該設備構成情報に含まれる設備の識別子及び物理量の種別と前記ポート構成情報に含まれるポートとの対応を示すリンクデータを記憶しておく。そして、遠隔監視装置の監視処理手段は、物理量情報及び当該物理量を取得したポートから、リンクデータを参照して、当該ポートで取得した物理量の種別及び設備の識別子を特定し、設備ごとの監視情報を生成する。
【０００９】
このような遠隔監視システムは、フィールド装置に設備に関する情報を登録しておく必要がなく、例えば設備の構成が変更された場合には、リンクデータを変更することによって対応可能である。
【発明の効果】
【００１０】
本発明に係る遠隔監視システムによれば、フィールド装置のポートと設備の識別子とのリンクデータを遠隔監視装置に登録しておくことにより、フィールド装置から送信された物理量情報を取得したポートから、どの設備で計測された物理量情報かを特定して監視情報を作成できるので、フィールド装置に設備に関する情報を登録しておく必要が無く、監視対象となる設備の変更がされた場合であっても簡単な遠隔監視装置側のみの変更作業のみによって設備の監視ができる。
【発明を実施するための最良の形態】
【００１１】
以下、本発明の実施の形態について図面を参照して説明する。
【００１２】
本発明は、例えば図１に示すように、監視装置であるセンター装置１０を有するセンター側１と被監視装置であるフィールド装置２０等を含むフィールド側２とがインターネット網（通信回線）３を介して接続されている遠隔監視システムに適用される。この遠隔監視システムは、フィールド側２における監視対象となる設備２２をセンター側１におけるセンター装置１０によって監視するものである。
【００１３】
この遠隔監視システムにおける１台のセンター装置１０は、複数台のフィールド装置２０＿１，２０＿２，・・・，２０＿Ｎ（以下、総称するときには単に「フィールド装置２０」と呼ぶ。）と接続されている。
【００１４】
フィールド装置２０は、それぞれ異なる場所に設置されている。例えば、各フィールド装置２０は、異なるビルに設置され、当該ビルに設けられた設備２２からデータを収集して蓄積している。フィールド装置２０は、一又は複数のフィールドバス２１＿１，・・・，２１＿Ｎ（以下、総称する場合には単に「フィールドバス２１」と呼ぶ。）が接続される。ビルに設置される設備としては、空調設備におけるオンオフスイッチや温度センサ、照明設備におけるオンオフスイッチや照度センサが挙げられる。
【００１５】
例えばフィールド装置２０＿１には、設備２２Ａ，２２Ｂがフィールドバス２１＿１を介して接続されると共に、設備２２Ｃ，２２Ｄがフィールドバス２１＿２を介して接続されている。フィールド装置２０は、フィールドバス２１と接続するフィールドバス用ポート２３＿１，・・・，２３＿Ｎ（以下、総称する場合には単に「フィールドバス用ポート２３」と呼ぶ。）を備えている。フィールドバス用ポート２３＿１〜２３＿Ｎには、それぞれ、同一のフィールド装置２０における他のポートと識別するフィールドバス用ポートＩＤ（１）〜ポートＩＤ（Ｎ）が付与されている。
【００１６】
なお、フィールドバス２１とフィールド装置２０との間の通信方式は、特に限定されず、例えばフル２線方式やＬＯＮ等の設備独自のプロトコルであっても良く、汎用のＩＰを利用した通信方式であっても良い。
【００１７】
フィールドバス２１と設備２２との間には、計測用ポートを介して当該設備２２の各種の物理量を計測する収集ユニット２４が接続されている。この収集ユニット２４は、設備２２のパルス信号を計測するパルス入力ポートである計測用ポート（ＰＩ；pulse input）を備えたもの、設備２２のディジタル信号を計測するディジタル入力ポートである計測用ポート（ＤＩ；digital input）を備えたもの、設備２２の電流値を計測する計測ポート（電流）を備えたものに大別される。収集ユニット２４には、他の収集ユニット２４と識別するユニット番号（ユニットＮｏ．）が付与されている。
【００１８】
本例において、フィールドバス用ポートＩＤ（１）のフィールドバス用ポート２３＿１には、設備２２Ａ及び設備２２Ｂを構成する負荷等の電流値を入力する収集ユニット２４＿１と、設備２２Ａ及び設備２２Ｂのディジタル信号を入力する収集ユニット２４＿２と、設備２２Ｂのパルス信号を入力する収集ユニット２４＿３とが接続されている。また、フィールドバス用ポートＩＤ（Ｎ）のフィールドバス用ポート２３＿Ｎには、設備２２Ｃを構成する負荷等の電流値を計測する収集ユニット２４＿４と、設備２２Ｄ及び設備２２Ｃのディジタル信号を入力する収集ユニット２４＿５と、設備２２Ｄを構成する負荷等の電流を計測する収集ユニット２４＿６とが接続されている。
【００１９】
収集ユニット２４は、それぞれ、一又は複数の計測用ポート２５を備えている。各計測用ポート２５には、信号伝送用ケーブルが接続されることによって設備２２と電気的に導通している。各計測用ポート２５には、同一の収集ユニット２４における他の計測用ポート２５と区別するための計測用ポート番号が付与されている。本例において、収集ユニット２４＿１〜２４＿６には、それぞれ４個の計測用ポート２５が設けられている。
【００２０】
フィールド装置２０は、図２に示すように、フィールドバス２１と接続されたローカルポート通信部３１と、インターネット網３と接続されたネットワーク通信部３２と、フィールドバス用ポート２３に接続された構成に関する情報を記憶するローカルポート構成情報記憶部３３と、収集ユニット２４により収集した計測情報を記憶するポート計測情報記憶部３４と、ローカルポート情報計測部３５と、計測情報通知部３６と、警報通知部３７とを備える。
【００２１】
ローカルポート構成情報記憶部３３は、図４に示すように、フィールド装置２０のフィールドバス用ポート２３のＩＤ（フィールドバス用ポートＩＤ）と、収集ユニット２４の番号であるユニット番号と、当該収集ユニット２４により計測する物理量の種別情報（計測種別情報）と、各収集ユニット２４の計測用ポートのポート数情報とを対応させたローカルポート構成情報を記憶している。
【００２２】
例えば、フィールドバス用ポート２３＿１のフィールドバス用ポートＩＤ（１）に対応して、収集ユニット２４＿１のユニット番号（１）と収集ユニット２４＿２のユニット番号（２）と収集ユニット２４＿３のユニット番号（３）とが登録され、当該ユニット番号に対応した計測種別情報とポート数情報とが登録されている。
【００２３】
ローカルポート通信部３１は、フィールドバス２１が接続されるフィールドバス用ポート２３を複数備えている。ローカルポート通信部３１は、収集ユニット２４からの物理量情報を受信して、ポート計測情報記憶部３４に記憶させる。ローカルポート通信部３１は、ローカルポート情報計測部３５の制御によって動作し、例えば１分単位で全フィールドバス用ポート２３から物理量情報を収集する。収集ユニット２４からローカルポート通信部３１に送信される物理量情報には、当該物理量を計測した収集ユニット２４のユニット番号及び計測用ポート番号が付加されている。ローカルポート通信部３１によって収集された物理量情報は、フィールド装置ローカルポートのフィールドバス用ポートＩＤ、ユニット番号、計測用ポート番号、計測種別情報ごとに分類されてポート計測情報記憶部３４に記憶される。
【００２４】
本例において、ローカルポート通信部３１は、フィールドバス２１＿１が接続されるフィールドバス用ポート２３＿１と、フィールドバス２１＿Ｎが接続されるフィールドバス用ポート２３＿Ｎとを備えている。ローカルポート通信部３１は、フィールドバス２１＿１を介して収集ユニット２４＿１〜２４＿３からの物理量情報を受信すると共に、フィールドバス２１＿Ｎを介して収集ユニット２４＿４〜２４＿６からの物理量情報を受信して、ポート計測情報記憶部３４に記憶させる。
【００２５】
ネットワーク通信部３２は、インターネット網３を介してセンター装置１０と接続される。計測情報通知部３６は、センター装置１０からの物理量情報の収集要求（問い合わせ信号）に応じて、ポート計測情報記憶部３４に記憶された物理量情報を、ネットワーク通信部３２を介してセンター装置１０に送信する。この物理量情報には、フィールドバス用ポートＩＤ、当該物理量を計測した収集ユニット２４のユニット番号、計測用ポート番号及び計測種別情報（識別情報）が付加される。
【００２６】
警報通知部３７は、収集ユニット２４で収集されてローカルポート通信部３１に受信されたディジタルインプット情報（ＤＩ情報）に所定の変化があったか否かを判定する。このディジタルインプット情報としては、設備２２内における電源線の短絡、停電等の突発的且つ致命的な異常が挙げられる。警報通知部３７は、ディジタルインプット情報に所定の変化があったことを検知した場合、異常が発生した旨の警報速報情報を生成して、ネットワーク通信部３２を介してセンター装置１０に送信する。この警報速報情報には、少なくともフィールドバス用ポートＩＤ、ユニット番号、計測用ポート番号が付加される。この警報速報情報をセンター装置１０に送信する処理は、例えばＳＮＭＰ（Simple Network Management Protocol）に準拠した処理において、イベント通知メッセージであるＴｒａｐと称される非同期メッセージを送信することにより実現される。
【００２７】
その後、警報通知部３７は、センター装置１０からの物理量情報の収集要求（問い合わせ信号）に応じて、警報速報情報に関わる異常の詳細を示す警報詳細情報をセンター装置１０に送信する。この警報詳細情報は、異常となっている設備に関する情報であって、フィールドバス用ポートＩＤ、ユニット番号、計測用ポート番号及び計測種別情報のみならず、ポート計測情報記憶部３４に記憶された実際の物理量情報を含む。
【００２８】
センター装置１０は、収集ユニット２４が計測した物理量情報及び当該物理量を取得したフィールドバス２１のフィールドバス用ポート及び収集ユニット２４の計測用ポートを識別する識別情報をフィールド装置２０から受信し、設備２２の監視情報を生成するものである。センター装置１０は、図３に示すように、インターネット網３に接続されたネットワーク通信部５１と、設備監視情報記憶部５２と、フィールド装置ローカルポート構成情報記憶部５３と、設備構成情報記憶部５４と、設備情報登録部５５と、設備情報監視処理部５６と、提示装置部５７とを備える。
【００２９】
フィールド装置ローカルポート構成情報記憶部５３は、図５に示すように、フィールド装置２０のＩＰアドレスと、当該フィールド装置２０に設けられているフィールドバス用ポート２３のフィールドバス用ポートＩＤと、当該フィールドバス用ポートＩＤのフィールドバス用ポート２３に接続されている収集ユニット２４のユニット番号と、当該収集ユニット２４の計測種別情報と、当該収集ユニット２４の計測用ポート数分の計測用ポート番号とが対応付けられたポート構成情報が記憶されている。このポート構成情報は、フィールド装置２０から図４のポート構成情報を受信した場合に、設備情報登録部５５によって登録される。
【００３０】
設備構成情報記憶部５４は、図６に示すように、フィールドバス２１に接続された監視対象である設備２２の名称情報と、当該設備２２のＩＤ（設備ＩＤ）と、当該設備２２が計測される物理量の種別である計測種別情報と、リンクデータとが対応付けられた設備構成情報が記憶される。この設備構成情報は、図示しない入力デバイスからの操作信号を設備情報登録部５５が受信して、設備情報登録部５５によって登録される。
【００３１】
このリンクデータは、当該設備ＩＤ及び計測種別情報と、図５のポート構成情報に含まれる計測用ポートとの対応を示すデータである。換言すれば、図６に示す設備構成情報に含まれるリンクデータを表示し、当該リンクデータをクリック等で選択することにより、どの収集ユニット２４の計測用ポートを介してフィールド装置２０に蓄積されたのかを特定できるデータがリンクデータである。図６のリンクデータをリンク元とし、図５のポート番号をリンク先とできるが、その逆に、図５のポート番号に、当該ポート番号をリンク元とし、図６の設備名称、設備ＩＤ、計測種別情報をリンク先とするリンクデータも付与できる。
【００３２】
例えば、図５及び図６に示すように、図６に示す設備ＩＤが「１」の設備Ａの電流は、図５に示すように、ＩＰアドレスが*.*.1.1のフィールド装置２０＿１に接続されたフィールドバス２１のうち、フィールドバス用ポートＩＤが「１」のフィールドバス２１＿１に接続されたユニット番号が「１」の収集ユニット２４＿１のポート番号（１）で計測していることを、リンクデータの「※１」で特定している。
【００３３】
ネットワーク通信部５１は、インターネット網３を介してフィールド装置２０と接続される。設備情報監視処理部５６は、例えばＳＮＭＰ（Simple Network Management Protocol）に準拠した処理を行う。設備情報監視処理部５６は、所定期間ごとに、フィールド装置２０に物理量情報を送信する収集要求を送信し、フィールド装置２０から返信された物理量情報を受信するポーリングを行う。この物理量情報には、当該物理量を計測した収集ユニット２４のユニット番号、計測用ポート番号及び計測種別情報（識別情報）が付加される。
【００３４】
ネットワーク通信部５１で受信された物理量情報は、設備情報監視処理部５６によって設備監視情報記憶部５２に記憶される。この物理量情報は、フィールド装置２０の管理者に提示する設備２２の監視情報となる。
【００３５】
提示装置部５７は、フィールド装置２０の管理者に監視情報を提示する表示装置等から構成される。提示装置部５７は、設備２２の状態を閲覧するための設備監視情報記憶部５２に記憶された監視情報、設備２２で異常が発生した場合の警告速報情報、警告詳細情報等を提示する。
【００３６】
このように構成されたセンター装置１０において、設備情報登録部５５は、図７に示す処理を行うことにより、図５のポート構成情報及び図６の設備構成情報を登録する。
【００３７】
設備情報登録部５５は、先ずステップＳ１において、フィールド装置２０から、図４に示すローカルポート構成情報をダウンロードし、ステップＳ２において、ダウンロードしたローカルポート構成情報から図５のローカルポート構成情報を作成してフィールド装置ローカルポート構成情報記憶部５３に記憶する。
【００３８】
設備情報登録部５５は、ダウンロードしたパケットのヘッダ情報からフィールド装置２０のＩＰアドレスを取得する。また、設備情報登録部５５は、図４のローカルポート構成情報に登録されているフィールドバス用ポートＩＤ、ユニット番号、計測種別情報から、図５のフィールドバス用ポートＩＤ、ユニット番号、計測種別情報を登録する。更に、設備情報登録部５５は、図４のローカルポート構成情報に登録されているポート数情報から、当該ポート数分のポート番号を登録する。これにより、図５に示すローカルポート構成情報を作成する。
【００３９】
次に設備情報登録部５５は、ステップＳ３において、監視対象となる設備２２の情報である設備名称、設備ＩＤ、リンクデータを登録することにより、図６に示す設備構成情報を作成する。このとき、設備情報登録部５５は、図示しない入力デバイスの操作信号により、設備名称を入力すると、当該設備名称ごとに設備ＩＤを自動的に付与する。また、設備ＩＤに対応して、設備２２から取得可能な物理量の種別を計測種別情報として自動的に付与し、当該計測種別情報ごとにリンクデータを登録する記憶領域を確保する。
【００４０】
次に設備情報登録部５５は、ステップＳ４において、各設備２２に、フィールド装置２０の計測対象となる計測用ポートへのリンク付けをして、リンクデータを作成する。例えば、設備ＩＤが「１」の設備Ａの電流は、図５に示すように、ＩＰアドレスが*.*.1.1のフィールド装置２０＿１に接続されたフィールドバス２１のうち、フィールドバス用ポートＩＤが「１」のフィールドバス２１＿１に接続されたユニット番号が「１」の収集ユニット２４＿１のポート番号（１）で計測していることのリンクデータを「※１」で特定する。これにより、設備Ａの電流値を監視したい場合、図６の設備構成情報のリンクデータ（※１）を入力デバイスで選択することにより、フィールドバス用ポートＩＤが「１」、ユニット番号が「１」、計測用ポートのポート番号（１）に対応した物理量情報を設備監視情報記憶部５２から取り出し可能となる。
【００４１】
次に設備情報登録部５５は、ステップＳ４で作成した設備構成情報を設備構成情報記憶部５４に保存して処理を終了する。
【００４２】
つぎに、上述したように構成された遠隔監視システムにおいて、フィールド装置２０の処理手順について図８を参照して説明する。
【００４３】
フィールド装置２０は、ステップＳ１１において、ローカルポート情報計測部３５により、１分ごとにローカルポート通信部３１が備えている全てのフィールドバス用ポートから物理量情報を計測して、ポート計測情報記憶部３４に記憶させる。
【００４４】
次のステップＳ１２において、フィールド装置２０は、ローカルポート情報計測部３５により、ディジタルインプット情報に変化があるか否かを判定する。ディジタルインプット情報に変化があると判定した場合には、ステップＳ１３に処理を進め、警報通知部３７により、フィールド装置２０に警報速報情報を送信する。この警報速報情報は、少なくともフィールドバス用ポートＩＤ及びユニット番号が含まれる。
【００４５】
一方、ディジタルインプット情報に変化がないステップＳ１４において、フィールド装置２０は、ステップＳ１１で受信した物理量情報をポート計測情報記憶部３４に記憶する。この物理量情報は、フィールドバス用ポートＩＤ及びユニット番号と対応付けられて記憶される。
【００４６】
次にフィールド装置２０は、ステップＳ１５において、計測情報通知部３６により、センター装置１０からの物理量情報を収集する要求を受信したか否かを判定する。収集要求を受信していない場合には、ステップＳ１１に処理を戻し、収集要求を受信した場合にはステップＳ１６に処理を進める。
【００４７】
ステップＳ１６において、計測情報通知部３６は、ポート計測情報記憶部３４から物理量情報を取り出して、ネットワーク通信部３２を介して物理量情報をセンター装置１０に送信する。
【００４８】
つぎに、上述したように構成された遠隔監視システムにおいて、センター装置１０の処理手順について図９を参照して説明する。
【００４９】
センター装置１０は、設備情報監視処理部５６により、設備２２の物理量情報を収集する問い合わせ信号をフィールド装置２０に送信する時刻か否かを判定する。物理量情報を収集間隔としては、例えば１０分という値が設定されている。設備２２の物理量情報を収集する時刻である場合には、ステップＳ２２において、設備情報監視処理部５６は、ネットワーク通信部５１を介して問い合わせ信号をフィールド装置２０に送信する。
【００５０】
次にセンター装置１０は、ステップＳ２３において、フィールド装置２０から警報速報情報を受信したか否かを判定する。この警報速報情報は、ディジタルインプット情報を検知する収集ユニット２４によって、ディジタルインプット情報の変化があった場合に送信される。警報速報情報を受信したと判定した場合には、処理をステップＳ２４に進める。
【００５１】
ステップＳ２４において、センター装置１０は、設備情報監視処理部５６により、ステップＳ２３で受信したディジタルインプット情報と図６の設備構成情報とから、該当する設備２２を特定する。このとき、設備情報監視処理部５６は、警報速報情報に含まれるフィールド装置２０のＩＰアドレス、フィールドバス用ポートＩＤ、ユニット番号及びポート番号から、図５のポート番号を認識し、当該ポート番号とリンクしている図６の設備名称、設備ＩＤ、計測種別情報を認識する。
【００５２】
次のステップＳ２５において、センター装置１０は、設備情報監視処理部５６により、ステップＳ２４にて認識した設備名称、設備ＩＤ、計測種別情報を提示装置部５７によって提示する。これにより、警報が発生したことをフィールド装置２０の管理者に提示する。
【００５３】
次のステップＳ２６において、センター装置１０は、設備情報監視処理部５６により、フィールド装置２０から物理量情報を受信したか否かを判定する。このとき、設備情報監視処理部５６は、ステップＳ２２においてフィールド装置２０に物理量情報を収集する要求を送信した応答として物理量情報が受信したか否かを判定する。物理量情報を受信していないと判定した場合にはステップＳ２１に処理を戻し、物理量情報を受信した場合にはステップＳ２７に処理を進める。
【００５４】
ステップＳ２７において、設備情報監視処理部５６は、受信した物理量情報に含まれるフィールドバス用ポートＩＤ、ユニット番号及びポート番号から、図５のポート番号を認識し、当該ポート番号とリンクしている図６の設備名称、設備ＩＤ、計測種別情報を認識する。
【００５５】
次のステップＳ２８において、設備情報監視処理部５６は、ステップＳ２７で識別した設備名称、設備ＩＤ、計測種別情報と対応させた物理量情報を設備監視情報記憶部５２に記憶する。
【００５６】
次のステップＳ２９において、設備情報監視処理部５６は、ステップＳ２３によって警報速報情報を受信し、ステップＳ２５にて当該警報速報情報を提示した警報発生中の設備２２の物理量情報を警報詳細情報として提示装置部５７に表示させる。例えば、ステップＳ２４において特定した警報中の設備名称、設備ＩＤを一時的にメモリしておき、ステップＳ２７において警報中の設備名称、設備ＩＤの物理量情報を受信した場合には、このステップＳ２９にて提示装置部５７で表示させる。
【００５７】
以上詳細に説明したように、本発明を適用した遠隔監視システムによれば、物理量情報と共にフィールドバス用ポートＩＤ、ユニット番号、計測用ポート番号をフィールド装置２０からセンター装置１０に送信するのみで、センター装置１０により、どの設備２２の物理量情報かを特定できる。すなわち、この遠隔監視システムによれば、フィールド装置２０のポートと設備２２のＩＤとを対応させるリンクデータを登録しておくので、センター装置１０で物理量情報を受信した場合に、当該物理量を取得したフィールドバス用ポート及び計測用ポートから、ポート構成情報に登録されている計測用ポートを特定し、当該計測用ポートとリンクされた設備の識別子を認識できる。これにより、フィールド装置２０に設備２２の名称やＩＤを登録する必要がない。
【００５８】
これにより、遠隔監視システムによれば、設備２２に関係なく収集ユニット２４をある設備２２に接続した場合、当該接続状態に応じてローカルポート構成情報のポート番号と設備構成情報の設備名称及び設備ＩＤとをリンクさせるだけで、現在収集ユニット２４に接続されている設備２２の物理量情報を収集することができる。また、監視対象とする設備２２の種類が変更した場合であっても、設備名称、設備ＩＤを変更するのみで、フィールド装置２０側の設定を変更する必要がない。
【００５９】
また、この遠隔監視システムによれば、突発的な異常を検知するディジタルインプット情報に変化があった場合に、フィールド装置２０からセンター装置１０に警報速報情報を送信して管理者等に提示するので当該設備２２の致命的な欠陥についての対応を取ることができる。例えば、当該設備２２の近くにいる管理者等に電話連絡等をして早急且つ的確な初動対応が可能となる。また、遠隔監視システムによれば、警報速報情報を受信した後に、当該警報速報情報に関わる異常の詳細を示す警報詳細情報をフィールド装置２０からセンター装置１０に送信して管理者等に提示することができ、設備２２の確実な復旧、欠陥の詳細な原因追及、未然防止策を図ることができる。
【００６０】
つぎに、上述したように構成された遠隔監視システムの他の例について説明する。なお、上述した遠隔監視システムと同様の部分については同一符号を付することによりその詳細な説明を省略する。
【００６１】
この遠隔監視システムは、図１０に示すように、フィールドバス２１＿１に接続されて設備２２Ｂを制御するための出力ポート（ＤＯ；digital output）を有する制御ユニット６１＿１（制御機器）と、フィールドバス２１＿Ｎに接続されて設備２２Ｄを制御するための出力ポートを有する制御ユニット６１＿２とを備える。この遠隔監視システムは、センター装置１０により、当該制御ユニット６１＿１，６１＿２を制御するものである。なお、制御ユニット６１＿１，６１＿２を総称する場合には単に「制御ユニット６１」と呼ぶ。
【００６２】
フィールド装置２０は、図２に示したフィールド装置２０に加えて、制御指令受信部７１とローカルポート制御部７２とを備える。また、センター装置１０は、図３に示したセンター装置１０に加えて、設備情報制御処理部８１を備える。遠隔監視システムは、設備情報制御処理部８１から制御ユニット６１に向けて設備制御指令を送信し、当該設備制御指令をフィールド装置２０の制御指令受信部７１で受信すると、ローカルポート制御部７２から制御ユニット６１に設備制御指令を出力する。これにより、制御ユニット６１は、設備制御指令に従って設備２２を動作させる。
【００６３】
このような遠隔監視システムにおいて、フィールド装置２０のローカルポート構成情報記憶部３３には、図１３に示すように、制御ユニット６１のユニット番号、計測種別情報、ポート数情報がローカルポート構成情報として記憶される。ここで、制御ユニット６１は、設備２２を制御する型のユニットではあるが、計測種別情報に出力ポートを備えるユニットとして登録されている。また、制御ユニット６１のポート数は２個である。
【００６４】
センター装置１０は、図１３に示すローカルポート構成情報をダウンロードすると、当該ローカルポート構成情報から図１４に示すローカルポート構成情報を作成する。このとき、設備情報登録部５５は、図７に示す処理と同様に、ダウンロードしたパケットのヘッダ情報からフィールド装置２０のＩＰアドレスを取得する。また、設備情報登録部５５は、図１３のローカルポート構成情報に登録されているフィールドバス用ポートＩＤ、制御指令受信部７１のユニット番号、制御指令受信部７１の計測種別情報から、図１４のフィールドバス用ポートＩＤ、ユニット番号、計測種別情報を登録する。更に、設備情報登録部５５は、図１３のローカルポート構成情報に登録されているポート数情報から、当該ポート数分のポート番号を登録する。これにより、図１４に示すように、収集ユニット２４のポート構成に加えて、制御ユニット６１のポート構成を含むローカルポート構成情報を作成する。
【００６５】
次に設備情報登録部５５は、制御指令受信部７１の制御対象となる設備２２の情報である設備名称、設備ＩＤ、リンクデータを登録することにより、図１５に示す設備構成情報を作成する。このとき、設備情報登録部５５は、図示しない入力デバイスの操作信号により、制御対象の設備名称を入力すると、当該設備名称ごとに設備ＩＤを自動的に付与する。また、設備ＩＤに対応して、設備２２を制御するものであることを計測種別情報として自動的に付与し、当該計測種別情報ごとにリンクデータを登録する記憶領域を確保する。
【００６６】
次に設備情報登録部５５は、各設備２２に、制御対象となる制御用ポートへのリンク付けをして、リンクデータを作成する。例えば、設備ＩＤが「２」の設備Ｂに対しては、図１４に示すように、ＩＰアドレスが*.*.1.1のフィールド装置２０＿１に接続されたフィールドバス２１のうち、フィールドバス用ポートＩＤが「１」のフィールドバス２１＿１に接続されたユニット番号が「４」の制御ユニット６１＿１のポート番号（４）で制御が可能であることのリンクデータを「※６」で特定する。これにより、設備Ｂを制御したい場合、図１５の設備構成情報のリンクデータ（※６）を入力デバイスで選択することにより、フィールドバス用ポートＩＤが「１」、ユニット番号が「４」、制御用ポートのポート番号（４）を指定したフィールド装置２０＿１宛ての設備制御指令を作成できる。
【００６７】
このような遠隔監視システムにおいて設備２２を制御する場合、センター装置１０の設備情報制御処理部８１は、図１６に示すように、先ずステップＳ３１において、制御対象となる設備２２のディジタルインプット情報を取得する。なお、このディジタルインプット情報を取得する処理は、上述した。
【００６８】
そして、設備情報制御処理部８１は、ステップＳ３２において、制御ユニット６１が接続された設備２２が安全な状態であって現在制御可能な状態であるか否かを判定する。制御したい設備２２が現在制御可能な状態ではないと判定した場合にはステップＳ３１に処理を戻し、制御したい設備２２が現在制御可能な状態であると判定した場合にはステップＳ３３に処理を進める。
【００６９】
ステップＳ３３において、設備情報制御処理部８１は、設備構成情報から、制御対象となる設備２２と接続された制御指令受信部７１のポート番号を特定する。例えば、設備Ｂを制御対象とする場合には、当該図１５に示す設備Ｂに対応したリンクデータから、図１４に示すフィールドバス用ポートＩＤが「１」、ユニット番号「４」、ポート番号が「１」であることを特定する。
【００７０】
次のステップＳ３４において、設備情報制御処理部８１は、ステップＳ３３で特定したポート番号の制御ユニット６１が接続されたフィールド装置２０に設備制御指令を送信する。この設備制御指令は、ステップＳ３３で特定したフィールド装置２０のＩＰアドレス、フィールドバス用ポートＩＤ、ユニット番号及びポート番号を宛先データとして含んでいる。
【００７１】
一方、フィールド装置２０は、図１７に示すように、ステップＳ４１において、センター装置１０から送信された設備制御指令を制御指令受信部７１によって受信したか否かを判定する。その結果、制御指令受信部７１によって設備制御指令を受信した場合にはステップＳ４２に処理を進める。
【００７２】
ステップＳ４２において、フィールド装置２０は、ステップＳ４１で受信した設備制御指令をローカルポート制御部７２に渡し、ローカルポート制御部７２により、該当するフィールドバス２１に設備制御指令を送信する。このとき、ローカルポート制御部７２は、設備制御指令に含まれるフィールドバス用ポートＩＤをローカルポート構成情報から特定して、当該特定したフィールドバス用ポート２３から、ユニット番号及びポート番号を宛先とした設備制御指令を送信する。これにより、当該設備制御指令に含まれるユニット番号の制御ユニット６１は、自己宛の設備制御指令として受信し、当該設備制御指令に含まれるポート番号から設備２２に設備制御指令を出力する。
【００７３】
以上説明したように、本発明を適用した遠隔監視システムによれば、制御ユニット６１が接続されている設備２２の情報をフィールド装置２０に登録しておかなくても、センター装置１０によって制御ユニット６１のポート番号を指定することにより、設備２２を制御することができる。
【００７４】
また、この遠隔監視システムによれば、制御ユニット６１に設備制御指令を出力する前に当該設備２２のディジタルインプット情報を受信するので、制御対象の設備２２が安全である場合のみに設備制御指令を送信することができる。
【００７５】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００７６】
【図１】本発明を適用した遠隔監視システムの構成を示すブロック図である。
【図２】本発明を適用した遠隔監視システムを構成するフィールド装置の構成を示すブロック図である。
【図３】本発明を適用した遠隔監視システムを構成するセンター装置の構成を示すブロック図である。
【図４】本発明を適用した遠隔監視システムを構成するフィールド装置に記憶されるローカルポート構成情報の構造を示す図である。
【図５】本発明を適用した遠隔監視システムを構成するセンター装置に記憶されるローカルポート構成情報の構造を示す図である。
【図６】本発明を適用した遠隔監視システムを構成するセンター装置に記憶される設備構成情報の構造を示す図である。
【図７】本発明を適用した遠隔監視システムを構成するセンター装置により設備構成情報を登録する処理手順を示すフローチャートである。
【図８】本発明を適用した遠隔監視システムを構成するフィールド装置の動作手順を示すフローチャートである。
【図９】本発明を適用した遠隔監視システムを構成するセンター装置によって設備を監視するときのフローチャートである。
【図１０】本発明を適用した他の遠隔監視システムの構成を示すブロック図である。
【図１１】本発明を適用した他の遠隔監視システムを構成するフィールド装置の構成を示すブロック図である。
【図１２】本発明を適用した他の遠隔監視システムを構成するセンター装置の構成を示すブロック図である。
【図１３】本発明を適用した他の遠隔監視システムを構成するフィールド装置に記憶されるローカルポート構成情報の構造を示す図である。
【図１４】本発明を適用した他の遠隔監視システムを構成するセンター装置に記憶されるローカルポート構成情報の構造を示す図である。
【図１５】本発明を適用した他の遠隔監視システムを構成するセンター装置に記憶される設備構成情報の構造を示す図である。
【図１６】本発明を適用した他の遠隔監視システムを構成するセンター装置から設備制御指令を送信する時のフローチャートである。
【図１７】本発明を適用した他の遠隔監視システムを構成するフィールド装置により設備制御指令を受信した時のフローチャートである。
【符号の説明】
【００７７】
１  センター側
２  フィールド側
３  インターネット網
１０  センター装置
２０  フィールド装置
２１  フィールドバス
２２  設備
２３  フィールドバス用ポート
２４  収集ユニット
２５  計測用ポート
３１  ローカルポート通信部
３２  ネットワーク通信部
３３  ローカルポート構成情報記憶部
３４  ポート計測情報記憶部
３５  ローカルポート情報計測部
３６  計測情報通知部
３７  警報通知部
５１  ネットワーク通信部
５２  設備監視情報記憶部
５３  フィールド装置ローカルポート構成情報記憶部
５４  設備構成情報記憶部
５５  設備情報登録部
５６  設備情報監視処理部
５７  提示装置部
６１  制御ユニット
７１  制御指令受信部
７２  ローカルポート制御部
８１  設備情報制御処理部
【図１】
2008160587.tif 000003
【図２】
2008160587.tif 000004
【図３】
2008160587.tif 000005
【図４】
2008160587.tif 000006
【図５】
2008160587.tif 000007
【図６】
2008160587.tif 000008
【図７】
2008160587.tif 000009
【図８】
2008160587.tif 000010
【図９】
2008160587.tif 000011
【図１０】
2008160587.tif 000012
【図１１】
2008160587.tif 000013
【図１２】
2008160587.tif 000014
【図１３】
2008160587.tif 000015
【図１４】
2008160587.tif 000016
【図１５】
2008160587.tif 000017
【図１６】
2008160587.tif 000018
【図１７】
2008160587.tif 000019